(57)【要約】  建造物、特に、建築コンポーネントを作製するためのモジュラシステムであって、第１のモジュラユニット（５０、５０’、５０’’、５０’’’）の基本フレームワークのための、少なくとも１つの支柱プロファイル（２）、少なくとも１つの天井プロファイル（３）、および少なくとも１つの床プロファイル（４）と、第２のモジュラユニット（５０、５０’、５０’’、５０’’’）の基本フレームワークのための、少なくとも１つのさらなる支柱プロファイル（２）、少なくとも１つのさらなる天井プロファイル（３）、および少なくとも１つのさらなる床プロファイル（４）と、第１のモジュラユニットおよび第２のモジュラユニット（５０、５０’、５０’’、５０’’’）を接続するためのモジュールコネクタ（３８）と、を備え、支柱プロファイル（２）が第１のピン保持具（５５）を有し、さらなる支柱プロファイル（２）が第２のピン保持具（５５）を有し、モジュールコネクタ（３８）が、第１のピン保持具（５５）への挿入のための第１の接続ピン（３９）と、第２のピン保持具（５５）への挿入のための第２の接続ピン（４０）と、を有し、モジュールコネクタ（３８）が、第１の接続ピンおよび第２の接続ピン（３９、４０）が上に配置される支持要素（４１）を有する。
2020531715.tif 000002
【特許請求の範囲】
【請求項１】
建造物、特に、建築コンポーネントを作製するためのモジュラシステムであって、第１のモジュラユニット（５０、５０’、５０’’、５０’’’）の基本フレームワークのための、少なくとも１つの支柱プロファイル（２）、少なくとも１つの天井プロファイル（３）、および少なくとも１つの床プロファイル（４）と、第２のモジュラユニット（５０、５０’、５０’’、５０’’’）の基本フレームワークのための、少なくとも１つのさらなる支柱プロファイル（２）、少なくとも１つのさらなる天井プロファイル（３）、および少なくとも１つのさらなる床プロファイル（４）と、前記第１のモジュラユニットおよび前記第２のモジュラユニット（５０、５０’、５０’’、５０’’’）を接続するためのモジュールコネクタ（３８）と、を備え、前記支柱プロファイル（２）が第１のピン保持具（５５）を有し、前記さらなる支柱プロファイル（２）が第２のピン保持具（５５）を有し、前記モジュールコネクタ（３８）が、前記第１のピン保持具（５５）への挿入のための第１の接続ピン（３９）と、前記第２のピン保持具（５５）への挿入のための第２の接続ピン（４０）と、を有し、前記モジュールコネクタ（３８）が、前記第１の接続ピンおよび前記第２の接続ピン（３９、４０）が上に配置される支持要素（４１）を有することを特徴とする、モジュラシステム。
【請求項２】
前記第１のモジュラユニット（５０、５０’、５０’’、５０’’’）が前記第２のモジュラユニット（５０、５０’、５０’’、５０’’’）に隣接して配置される場合に、前記支柱プロファイル（２）と前記さらなる支柱プロファイル（２）との間に隙間が形成されるように、前記モジュールコネクタ（３８）と、前記第１および前記第２のピン保持具（５５）とが配設されることを特徴とする、請求項１に記載のモジュラシステム。
【請求項３】
前記支持要素（４１）が、板状であり、第１の板面（４２）と、前記第１の板面（４２）と反対側の第２の板面（４３）と、を有することを特徴とする、請求項１または２に記載のモジュラシステム。
【請求項４】
前記モジュールコネクタ（３８）が、前記支持要素（４１）の開口部を通って延在するマンドレル（４４）を有し、前記マンドレルの第１のセクションが第１の接続ピン（３９）を形成し、前記マンドレルの第２のセクションが前記第２の接続ピン（４０、４５）を形成することを特徴とする、請求項１〜３のいずれか一項に記載のモジュラシステム。
【請求項５】
前記第１の接続ピンおよび／または前記第２の接続ピン（３９、４０）が、前記第１の接続ピンまたは前記第２の接続ピン（３９、４０）の長手方向軸に対してある角度をなして延在する穴（４６）を有することを特徴とする、請求項１〜４のいずれか一項に記載のモジュラシステム。
【請求項６】
前記第１のピン保持具および／または前記第２のピン保持具（５５）が、互いに対してある角度をなして配置された前記支柱プロファイル（２）の２つの側面（７０）のセクションを備えることを特徴とする、請求項１〜５のいずれか一項に記載のモジュラシステム。
【請求項７】
遮音要素（５２）が、前記支持要素（４１）に接合されることを特徴とする、請求項１〜６のいずれか一項に記載のモジュラシステム。
【請求項８】
前記支柱プロファイル（２）、前記天井プロファイル（３）、および前記床プロファイル（４）が各々、異なるように構成された断面を有することを特徴とする、請求項１〜７のいずれか一項に記載のモジュラシステム。
【請求項９】
前記支柱プロファイル（２）、前記天井プロファイル（３）、および／または前記床プロファイル（４）が、少なくとも部分的に中空のプロファイルであることを特徴とする、請求項１〜８のいずれか一項に記載のモジュラシステム。
【請求項１０】
前記支柱プロファイル（２）が、前記支柱プロファイル（２）の長手方向に延在する少なくとも１つのスロットガイド（２６）を有することを特徴とする、請求項１〜９のいずれか一項に記載のモジュラシステム。
【請求項１１】
前記少なくとも１つの支柱プロファイル（２）、前記少なくとも１つの天井プロファイル（３）、および前記少なくとも１つの床プロファイル（４）を備える第１の基本フレームワークが、前記第１のモジュラユニット（５０、５０’、５０’’、５０’’’）を形成するように組み立てられ、前記少なくとも１つのさらなる支柱プロファイル（２）、前記少なくとも１つのさらなる天井プロファイル（３）、および前記少なくとも１つのさらなる床プロファイル（４）が、前記第２のモジュラユニットを形成するように組み立てられることを特徴とする、請求項１〜１０のいずれか一項に記載のモジュラシステム。
【請求項１２】
前記第１のモジュラユニット（５０、５０’、５０’’、５０’’’）および／または前記第２のモジュラユニット（５０、５０’、５０’’、５０’’’）が、少なくとも１つの壁（４７）を備えることを特徴とする、請求項１１に記載のモジュラシステム。
【請求項１３】
前記第１のモジュラユニット（５０、５０’、５０’’、５０’’’）および／または前記第２のモジュラユニット（５０、５０’、５０’’、５０’’’）が、少なくとも１つの天井（５１）および／または少なくとも１つの床（４８）を備えることを特徴とする、請求項１１または１２に記載のモジュラシステム。
【請求項１４】
請求項１〜１３のいずれか一項に記載のモジュラシステムを備える建造物であって、前記第１の接続ピン（３９）が前記第１のピン保持具（５５）に挿入され、かつ前記第２の接続ピンが前記第２のピン保持具（５５）に挿入されるという点で、前記モジュールコネクタ（３８）を使用して、前記第１のモジュラユニット（５０、５０’、５０’’、５０’’’）および前記第２のモジュラユニット（５０、５０’、５０’’、５０’’’）が接続される建造物。
【請求項１５】
請求項１〜１４のいずれか一項に記載のモジュラシステムの第１のモジュラユニットおよび第２のモジュラユニット（５０、５０’、５０’’、５０’’’）を接続するためのモジュールコネクタ（３８）であって、前記モジュールコネクタ（３８）が第１の接続ピン（３９）および第２の接続ピン（４０）を少なくとも有する支持要素（４１）を有し、前記第１の接続ピンおよび前記第２の接続ピン（３９、４０）は、それらが第１の支柱プロファイルおよび第２の支柱プロファイル（２）の第１のピン保持具および第２のピン保持具（５５）に挿入され得るように形成されていることを特徴とするモジュールコネクタ（３８）。
【発明の詳細な説明】
【技術分野】
【０００１】
本発明は、建造物、特に、建築コンポーネントを作製するためのモジュラシステムであって、第１のモジュラユニットの基本フレームワークのための、少なくとも１つの支柱プロファイル、少なくとも１つの天井プロファイル、および少なくとも１つの床プロファイルと、第２のモジュラユニットの基本フレームワークのための、少なくとも１つのさらなる支柱プロファイル、少なくとも１つのさらなる天井プロファイル、および少なくとも１つのさらなる床プロファイルと、第１のモジュラユニットおよび第２のモジュラユニットを接続するためのモジュールコネクタと、を備える、モジュラシステムに関する。本発明はさらに、モジュラシステムと、このようなモジュラシステムのためのモジュールコネクタと、を備える、建造物、特に建築コンポーネントに関する。
【０００２】
欧州特許第１０５５０３６Ｂ１号は、支柱プロファイル、天井プロファイル、および床プロファイルを備える基本フレームワークを有する建築コンポーネントを作製するためのモジュラシステムについて記載している。この特許は、２つの隣接するモジュールを相互接続することができることを記載している。
【０００３】
建築コンポーネントを作製するためのさらなる既知のモジュラシステムが、欧州特許公開第２６７４５３８Ａ１号から知られている。
【０００４】
モジュラ構造の目的は、建造物の一部、特に部屋ユニットをモジュラユニットとしてプレハブ方式で作製し、これらのモジュラユニットを建築現場で組み立てることである。しかしながら、既知のモジュラシステムは、組み立てるのが非常に複雑である。
【０００５】
本発明の目的は、特に単純かつ信頼性を有する方法でセットアップすることができる、建造物を作製するためのモジュラシステム、モジュールコネクタ、および建造物を特定することである。
【０００６】
建造物、特に建築コンポーネントを作製するためのモジュラシステムに関して、この目的は請求項１の特徴によって達成される。したがって、冒頭で述べたシステムは、第１のピン保持具を有する支柱プロファイルと、第２のピン保持具を有するさらなる支柱プロファイルと、第１のピン保持具に挿入するための第１の接続ピン、および第２のピン保持具に挿入するための第２の接続ピンとによって特徴付けられ、またモジュールコネクタが、第１の接続ピンおよび第２の接続ピンが上に配置される支持要素を有することを特徴とする。この構成により、建造物の組み立てが特に単純かつ信頼性を有するものとなる。特に、本発明によるモジュールコネクタを使用すると、信頼性を有する、かつ迅速な、モジュールの接続を現場で達成することができる。このことに関連して、ツールなしで組み立てられ得るプラグイン接続を使用してモジュールを接続することができる。第１の接続ピンを第１のピン保持具に挿入し、第２の接続ピンを第２のピン保持具に挿入する場合、信頼性を有するプラグイン接続が既に達成されている。モジュールがプレハブ方式で作製されており、建築現場で一体に接合しさえすればよい場合、モジュールの記載された接続が特に有利である。第１のモジュールおよび第２のモジュールは、並べて、または互いに上下に配置されてもよい。建造物は、好ましくは建築コンポーネントである。しかしながら、モジュラシステムはその上、例えば船の上部構造などの他の建造物にも好適である。好ましくは、ピン保持具は、接続ピンのガイドとして形成されている。モジュラユニットは、特に部屋ユニットとして形成されていてもよい。部屋ユニットは、好ましくは、ラウンジ、リビングルーム、オフィス、保管室などの建物の部屋を形成する。部屋ユニットは、天井、床、および開放または閉鎖された壁を有してもよい。部屋ユニットは、少なくとも３つの支柱プロファイルを備える。好ましくは、部屋ユニットは、部屋ユニットのコーナに配置された４つの支柱プロファイルを備える。
【０００７】
本発明の目的は、請求項１５の特徴を有する建造物によっても達成される。したがって、第１モジュラユニットおよび第２モジュラユニットは、第１の接続ピンが第１のピン保持具に挿入され、かつ第２の接続ピンが第２のピン保持具に挿入されるという点でモジュールコネクタを使用して、接続される。
【０００８】
本発明の目的は、請求項１６の特徴を有するモジュールコネクタによっても達成される。したがって、モジュールコネクタは、モジュラシステムの第１のモジュラユニットおよび第２のモジュラユニットを接続するように形成されており、一方で、モジュールコネクタは、少なくとも第１の接続ピンおよび第２の接続ピンを有する支持要素を有し、一方で、第１の接続ピンおよび第２の接続ピンは、第１の支柱プロファイルおよび第２の支柱プロファイルの第１のピン保持具および第２のピン保持具に挿入されるように形成されている。第１の支柱プロファイルおよび第２の支柱プロファイルは、個々のモジュラユニットの一部である。
【０００９】
以下、本発明の追加の特徴について記載する。上述の特徴は、建造物を作製するためのモジュラシステム、モジュールコネクタ、およびモジュラシステムから作製された建造物に関する。
【００１０】
モジュラシステムは、第１のモジュラユニットおよび第２のモジュラユニットに加えて、対応して形成されたモジュラユニットをさらに備えてもよい。このようにして、モジュラシステムを使用して、２階以上に、並べて配置された複数のモジュラユニットおよび／または互いの上に配置されたモジュラユニットを含む、複数階までの比較的大きい建物を実装することができる。並べて配置されたモジュラユニットへの以下における言及は、本発明により、建造物の１つ以上のさらなる階にさらなるモジュラユニットが提供され得る可能性を排除しない。同様に、互いに上下に配置されたモジュラユニットへの以下における言及は、それらモジュラユニットの横に配置された建造物のさらなるモジュラユニットの提供を排除しない。
【００１１】
本発明の有利な一実施形態によれば、モジュールコネクタと第１のピン保持具および第２のピン保持具とは、第１のモジュラユニットが第２のモジュラユニットに隣接して配置されるときに支柱プロファイルとさらなる支柱プロファイルとの間に隙間が形成されるように、形成されている。したがって、アセンブリが簡素化される。これに加えて、隙間の遮音特性により、モジュラユニット間のより良い遮音性が達成される。このことは、モジュラユニットを並べて配置すること、および上下に配置することの両方に当てはまる。
【００１２】
さらなる有利な実施形態によれば、支持要素は板状であり、第１の板面と、第１の板面と反対の第２の板面と、を有する。好ましくは、第１の接続ピンおよび第２の接続ピンは支持要素上に配置され、例えば、第１の接続ピンおよび第２の接続ピンは支持要素に装着される。
【００１３】
本発明の特に有利な実施形態によれば、第１の接続ピンおよび第２の接続ピンは、第１のプレート面上に並べて配置される。好ましくは、第１の接続ピンおよび第２の接続ピンは、互いに対して平行に配置される。この実施形態は、特に、第１のモジュラユニットおよび第２のモジュラユニットが並べて配置される建造物に好適である。
【００１４】
さらに好ましい実施形態は、第１の接続ピンが第１のプレート面上に配置され、第２の接続ピンが第２のプレート面上に配置されることを提供する。この実施形態は、特に、第１のモジュラユニットおよび第２のモジュラユニットが互いに上下に配置される複数階構造に好適である。好ましくは、第１の接続ピンおよび第２の接続ピンは同軸に配置される。第１の接続ピンおよび第２の接続ピンはまた、単一の部品で作製されてもよい。
【００１５】
本発明の別の好ましい発展形によれば、モジュールコネクタは接続ピンをさらに有する。例えば、第１のプレート面上に提供された第１の接続ピンおよび第２の接続ピンに加えて、モジュールコネクタは、第１のプレート面上に２つのさらなる接続ピンを有してもよく、この場合、モジュールコネクタは、特に、並べて配置された４つのモジュールを接続するのに好適である。さらに、接続ピンがまた、第２のプレート面上に提供されてもよく、この場合、モジュールコネクタは、互いに上下に配置されたモジュラユニットを接続するのに好適である。４つのさらなる接続ピンが第２のプレート面上に提供される場合、４つのモジュラユニットを下部平面に並べて配置することができ、それらの上方に４つのモジュラユニットを配置することができ、すべてのモジュラユニットが信頼性を有して接続され得る。
【００１６】
さらなる改善により、モジュールコネクタは、支持要素の開口部を通って延在するマンドレルを有する。マンドレルの第１のセクションは、第１の接続ピンを形成し、第２のセクションは、第２の接続ピンを形成する。マンドレルが支持要素に対して位置決めされる肩部を有するように、第１のセクションの外径が第２のセクションの外径よりも大きい場合、特に単純な組み立てと良好な力伝達とが達成される。
【００１７】
本説明では、モジュラシステムのさらなる特徴について記載する。本明細書では、第１の接続ピン、第２の接続ピン、および／または可能なさらなる接続ピンの特徴が関係する場合、まとめて「接続ピン」と呼ぶことがある。第１の支柱プロファイル、第２の支柱プロファイル、および／または可能なさらなる支柱プロファイルの機能が関係する場合、「支柱プロファイル」という用語にも同じことが当てはまる。
【００１８】
好ましくは、接続ピンの少なくとも１つは、少なくとも１つの円筒セクションを有する。
【００１９】
接続ピンのうちの少なくとも１つが、少なくとも１つの接続ピンの長手方向軸に対してある角度で、好ましくは垂直に、延在する穴を有する場合、さらなる改善が達成される。ロックピンをピン保持具に保持するために、ロックピンまたはロックネジなどのロック手段を穴に挿入することができる。
【００２０】
特に好ましい実施形態は、遮音要素が支持要素に接合されることを提供する。好ましくは、遮音要素はプラスチック材料で作製されている。遮音要素は、好ましくは、接続ピンのうちの少なくとも１つのためのカバーを形成してもよい。さらに、遮音要素は、板状支持要素に対して平行に延在する板状セクションを有してもよい。遮音要素は、建造物の組み立てを容易にする。これに加えて、支持要素と支柱プロファイルまたはさらなる支柱プロファイルとの間の直接接触を防止することができ、したがって、遮音特性が向上する。
【００２１】
支柱プロファイルおよびさらなる支柱プロファイルは、好ましくは、同一形状である。本明細書に記載する支柱プロファイルの機能は、さらなる支柱プロファイルにも当てはまる。天井プロファイルおよびさらなる天井プロファイルは、好ましくは、同一形状である。本明細書に記載する天井プロファイルの特徴は、さらなる天井プロファイルにも当てはまる。床プロファイルおよびさらなる床プロファイルは、好ましくは、同一形状である。本明細書に記載する床プロファイルの機能は、さらなる床プロファイルにも当てはまる。これに加えて、建造物は、複数のモジュールコネクタを備えてもよい。
【００２２】
有利には、第１のモジュラユニットおよび／または第２のモジュラユニットは各々、フレーム、特に壁フレームを備える基本フレームワークを有することができ、各々が支柱プロファイルのうちの２つを備え、この支柱プロファイルの上端および下端が、それぞれ天井プロファイルおよび床プロファイルを介して相互接続可能であるか、または（組み立てられた状態で）相互接続される。
【００２３】
さらなる改善が、支柱プロファイル、天井プロファイル、および床プロファイルは各々、異なるように構成された断面を有することを提供する。好ましくは、基本的なフレームワークは自己支持型である。好ましくは、長尺の支柱プロファイルは、組み立てられた状態で垂直に配置される。長尺の天井プロファイルおよび長尺の床プロファイルが水平に配置され、組み立てられた状態で支柱プロファイルに締結される場合、さらに好ましい。
【００２４】
好ましい発展形によれば、支柱プロファイルおよび／または天井プロファイルおよび／または床プロファイルは、形成された金属シートを備える。このことは、高い安定性および低い生産コストに寄与する。
【００２５】
好ましくは、支柱プロファイルは、支柱プロファイルの長手方向に延在する少なくとも１つのスロットガイドを有する。好ましくは、少なくとも１つのスロットガイドは、上記のプロファイルの全長にわたって支柱プロファイルの長手方向に延在する。スロットガイドは、好ましくは、ダブテールガイドとして形成されている。スロットガイドは、支柱プロファイルに一体的に形成されていてもよい。特に好ましい実施形態は、支柱プロファイルが、実質的に互いに対して相互に垂直に配向された開口方向を有する２つのスロットガイドを有することを提供する。スロットガイドは、プロファイルの高い安定性に寄与する。
【００２６】
接続要素は、天井プロファイルおよび／または床プロファイルを支柱プロファイルに接続するように、少なくとも１つのスロットガイドに配置可能であるか、または配置される。好ましくは、接続要素は接続ストラップとして形成されている。
【００２７】
好ましい実施形態によれば、スロットガイドは、接続要素のフックへの確実な接続のためのノッチを有する。
【００２８】
好ましくは、支柱プロファイルは、相互にある角度をなして配置された４つの側面を有する。好ましくは、このことにより、実質的に正方形の断面の基本形状が得られる。このことは、例えば、記載されたスロットガイドが側面のうちのいくつかに配置される可能性を排除しない。
【００２９】
支柱プロファイルおよび／または天井プロファイルおよび／または床プロファイルは、好ましくは、少なくとも１つの空洞を囲む中空プロファイルとして形成されていることが可能である。好ましくは、前述の全てのプロファイルは、少なくとも部分的に中空プロファイルとして形成されている。このことは、単純な取り扱い、低コスト、および高い安定性に寄与する。
【００３０】
特に好ましい実施形態によれば、第１のピン保持具および第２のピン保持具は各々、互いに対してある角度をなして、特に垂直に配置された支柱プロファイルの２つの側面のセクションを備える。好ましくは、中空の支柱プロファイルは、支柱プロファイルによって形成された空洞内にそれぞれのピン保持具を備える。支柱プロファイルの角度をなして配置された２つの側面の内面は、各々、接続ピンのうちの１つに対する接触面を形成することができる。接続ピンに接触するように構成された支柱プロファイルの２つの側面が、スロットガイドを備える支柱プロファイルの側面ではない場合、さらに好ましい。
【００３１】
システムは、天井プロファイルおよび／または床プロファイルを支柱プロファイルに締結するための少なくとも１つの接続要素を備える。好ましくは、接続要素は、天井プロファイルおよび床プロファイルの各端部に配置される。接続要素は、支柱プロファイルのスロットガイドに配置されてもよい。接続要素は、追加的に、スロットガイドの基部に提供されたノッチに挿入される締結手段、特にフックを有してもよい。締結手段、特にフックは、中空の支柱プロファイルの内部に突出する。このことに関連して、ピン保持具は、接続要素の（特に締結手段の）セクションを備えることができる。このようにして、接続ピンが収容されるピン保持具は、互いに対してある角度をなして配置された接続要素と支柱プロファイルの２つの側面とによって形成されていることが可能である。好ましくは、スロットガイドの各々に、少なくとも１つの接続要素が収容され、接続要素のセクションが、関連する支柱プロファイル内に突出し、接続部分が、関連する支柱プロファイルの２つの側面と共にピン保持具を形成する。
【００３２】
特に好ましい実施形態によれば、天井プロファイルは、第１の中空プロファイルセクションおよび第２の中空プロファイルセクションを接続する横材を備える。第１の中空プロファイルセクションおよび／または第２の中空プロファイルセクションは、ボックスプロファイルとして形成されていることが可能である。第１の中空プロファイルセクションおよび／または第２の中空プロファイルセクションは、特に、実質的に相互に垂直に配置された４つの側壁を有してもよい。
【００３３】
床プロファイルは、床プロファイルの第１の中空プロファイルセクションおよび第２の中空プロファイルセクションを接続する横材を備えることがさらに好ましい。好ましくは、床プロファイルの第１の中空プロファイルセクションおよび／または第２の中空プロファイルセクションは、ボックスプロファイルとして形成されている。第１の中空プロファイルセクションおよび／または第２の中空プロファイルセクションは、特に、隣接する側壁が互いに対して直角に配置された４つの側壁を有してもよい。
【００３４】
好ましくは、天井プロファイルは、形成された金属シートを備え、横材は、２つの並んで相互に接触する、金属シートのセクションによって形成されている。
【００３５】
好ましくは、床プロファイルは、形成された金属シートを備え、横材は、２つの並んで相互に接触する、金属シートのセクションによって形成されている。
【００３６】
天井プロファイルおよび／または床プロファイルの第１の中空プロファイルセクションは、形成された金属シートの閉鎖された連続領域によって形成されていることがさらに好ましい。
【００３７】
さらに好ましい構成は、天井プロファイルおよび／または床プロファイルの第２の中空プロファイルセクションにおいて、金属シートの端部が端から端まで配置されることを提供する。好ましくは、金属シートの端部の領域において、金属シートは、折り返された領域を有する。
【００３８】
好ましくは、支柱プロファイルおよび／または天井プロファイルおよび／または床プロファイルは、鋼で作製されている。
【００３９】
特に好ましい実施形態によれば、第１のモジュラユニットおよび／または第２のモジュラユニットは各々、少なくとも１つの壁を備える。壁は、特に、厚板が上に配置された支持要素を有してもよい。支持要素は、金属支持プロファイル、特にＵプロファイルまたはＣプロファイルなどの乾式構造プロファイルであってもよい。厚板は、好ましくは、支持要素の両側に配置され、かつ支持要素の両側に締結されたボードを備える。ボード間に絶縁材料が配置されていてもよい。厚板は、好ましくは、建築ボードを備える。内装厚板石膏ボードには、特にプラスタボードが好ましい。好ましくは、１つのモジュールは、相互に垂直に配置された４つの壁を有する。支持要素は、好ましくは、第１の端部によって天井プロファイルに接続され、第２の端部によって床プロファイルに接続される。壁は、例えば窓やドアのための、開口部を有してもよい。
【００４０】
第１のモジュラユニットおよび／または第２のモジュラユニットが各々少なくとも１つの天井を備えることがさらに好ましい。天井は、特に、厚板が上に配置された支持要素を有してもよい。支持要素は、金属支持プロファイル、特にＵプロファイルまたはＣプロファイルなどの乾式構造プロファイルであってもよい。厚板は、好ましくは、支持要素の片側または両側に配置された建築ボードを備える。建築ボード間に絶縁材が配置されていてもよい。厚板は、好ましくは、石膏ベースのボード、特にプラスタボードまたは石膏繊維ボードを備える。支持要素は、好ましくは、第１の端部によって天井プロファイルに接続され、第２の端部によってさらなる天井プロファイルに接続される。
【００４１】
好ましい実施形態は、第１のモジュラユニットおよび／または第２のモジュラユニットが各々少なくとも１つの床を有することを提供する。床は、特に、厚板が上に配置された支持要素を有してもよい。支持要素は、ＵプロファイルまたはＣプロファイルなどの金属支持要素であってもよい。床の厚板は、支持要素の上面上に配置された建築ボードを備える。厚板は、好ましくは、多層で構築されていてもよい。好ましくは、厚板は、乾式スクリードボードおよび乾式スクリードボード上に配置された床材を備える。その上、乾式スクリードボードの下に遮音材が配置されていてもよい。好ましくは、厚板は、追加的に、支持要素の下面上に配置されたボードを備える。プレート間に絶縁材が配置されていてもよい。厚板は、好ましくは、石膏ベースのボード、特にプラスタボードまたは石膏繊維ボードを備える。
【００４２】
モジュールコネクタは、好ましくは、金属、特に鋼からなる。
【００４３】
本発明によれば、少なくとも１つの支柱プロファイル、少なくとも１つの天井プロファイル、および少なくとも１つの床プロファイルを備える第１の基本フレームワークを組み立てて第１のモジュラユニットを形成することができ、少なくとも１つのさらなる支柱プロファイル、少なくとも１つのさらなる天井プロファイル、および少なくとも１つのさらなる床プロファイルを備える第２の基本フレームワークを組み立てて第２のモジュラユニットを形成することができる。
【００４４】
第１のモジュラユニットおよび第２のモジュラユニットは、モジュールコネクタによって、第１の接続ピンを第１のピン保持具に挿入し、かつ第２の接続ピンを第２のピン保持具に挿入することによって、接続され得る。
【００４５】
ここに記載された発明は、記載されているがモジュールコネクタを有しない、建造物のためのモジュラシステムを、このモジュラシステムが最初に特許請求されていなくても、明示的に含む。
【００４６】
本発明のさらなる目的、特徴、利点、および可能な用途は、図面を参照した実施形態の以下の説明から明らかになるであろう。記載され、および／または視覚的に描かれた全ての特徴は、それ自体で、または任意の合理的な組み合わせで、個々の請求項またはその従属項においてそれら特徴がどのように組み合わされるかに関係なく、本発明の主題を形成する。
【００４７】
図面は、以下のとおりである。
【図面の簡単な説明】
【００４８】
【図１】モジュラ構造のための、本発明によるフレームの側面図である。
【図２】図１による２つのフレームを備える、本発明による基本フレームワークの斜視図である。
【図３】図１によるフレームのための天井プロファイルの断面図、および天井の詳細である。
【図４】図１によるフレームのための床プロファイルの断面図、および床の詳細である。
【図５】図１によるフレームのための支柱プロファイルの断面図である。
【図６】図５による支柱プロファイルで使用される接続要素の斜視図である。
【図７】図７ａ、図７ｂは、第１の実施形態に係るモジュールコネクタの斜視図および長手方向断面図である。
【図８】図８ａ、図８ｂは、第２の実施形態に係るモジュールコネクタの斜視図および長手方向断面図である。
【図９】図９ａ、図９ｂは、第３の実施形態に係るモジュールコネクタの斜視図および長手方向断面図である。
【図１０】図１０ａ、図１０ｂは、第４の実施形態に係るモジュールコネクタの斜視図および長手方向断面図である。
【図１１】図１１ａ、図１１ｂは、第５の実施形態に係るモジュールコネクタの斜視図および長手方向断面図である。
【図１２】側部からの、４つのモジュラユニットからなる構造物の一部の概略断面図である。
【図１３】上方からの、図１２のモジュラユニットのうちの２つの一部の概略断面図である。
【図１４】図３の天井プロファイルのセクションの斜視図である。
【図１５】図４の床プロファイルのセクションの斜視図である。
【図１６】図１６、図１６ａは、底部からの部分図、および床プロファイルに接続された支柱プロファイルの側面図である。
【図１７】モジュールコネクタによって接続された２つのモジュラユニットの上面斜視図である。
【００４９】
図１は、建造物を作製するためのモジュラシステムのための、本発明によるフレーム１の側面図である。本発明によるフレーム１は、２つの垂直支柱プロファイル２、支柱プロファイル２の上端を相互接続する水平天井プロファイル３、および支柱プロファイル２の下端を相互接続する水平床プロファイル４を備える。
【００５０】
フレーム１は、モジュラ構造のためのモジュラユニットの壁のためのフレームを実質的に形成してもよい。同時に、フレーム１は、この種類のモジュラユニットのための実質的にほぼ直方体の基本フレームワークの、建造物のための建築ブロックとして機能してもよく、この場合、天井プロファイル３は、モジュラユニットの天井の一部を形成し、床プロファイル４は、モジュラユニットの床の一部を形成する。
【００５１】
示された実施形態では、支柱プロファイル２はコーナプロファイルとして形成されている。このことにより、少なくともさらなる天井３およびさらなる床プロファイル４を支柱プロファイル２の各々に、直交させて取り付けることができ、それにより、モジュールのさらなる壁が追加される。天井プロファイル３および床プロファイル４は各々、実質的に板状またはストラップ形状の平坦な接続要素５を介して支柱プロファイル２に接続されている。
【００５２】
図２は、モジュラ構造のモジュールのための、本発明による基本フレームワークの斜視図である。
【００５３】
２つのフレーム１は、この基本フレームワークの長手方向サイドのフレームの各々を形成する。図１に関連して前述したように、このフレーム１のそれぞれの支柱プロファイル２は、さらなる天井プロファイル３および床プロファイル４を介して横方向に相互接続されて直方体形状を形成する。しかしながら、結果として端面と長手方向面との両方がフレーム１を呈するため、天井プロファイル３および床プロファイル４を介して長手方向に相互接続されたフレーム１の端面も形成され得る。このことにより、基本フレームワークが静的に特に安定し、全体的に自己保持し、また、負荷を支持することが可能である。したがって、また、この種類の多くの基本フレームワークを互いの上に積み重ね、それら基本フレームワークを相互接続して、建物の階を形成することが可能であり、多階建ての建物であっても、モジュラ構造が可能である。図２に示すように、例えばフレーム１を開放されたままとし、言い換えると充填せずに、１つの基本フレームワークによって形成された部屋ユニットの２倍の大きさである連続した空間を提供するために、対応して鏡面反転された開放された基本フレームワークがこの開放された面に取り付けられる場合、静的要件は依然として満たされる。多数の基本フレームワークを使用してさらに大きい空間を形成するために、２つ以上の側壁が開放されたままであってもよい。本発明によれば、このことは、図１に示すフレーム１が、壁を形成するために完成されているか否かにかかわらず、既に所望される安定性および保持能力を提供しているという理由で可能である。安定性および保持能力は、少なくとも部分的に、それぞれのプロファイル２、３、４の特別な断面プロファイル形状の結果であり、このことは以下でさらに詳細に考察される。
【００５４】
図２に表すように、接続要素５は、外側からそれぞれのプロファイル３、４に取り付けられている。乾式建築構造物のための構造要素をさらに提供するために、スタッド作業の類において、乾式構造プロファイル６、７、８、９、たとえばＣプロファイル、特に軽量鋼の乾式構造プロファイルが、フレームプロファイル２、３、４間に挿入されてもよい。フレームプロファイル２、３、４は、好ましくは鋼板で作製されている。
【００５５】
図３は、図１によるフレーム１のための、本発明による天井プロファイル３の断面図である。天井プロファイル３は、シート材料、好ましくは金属シート、好ましくは鋼板から形成されている。プロファイルは、中空断面の領域を備える。シート金属は、コーナ領域の弱点を回避するコーナ半径で、丸く曲げられるか、または角度が付けられている。これに加えて、プロファイルの安定性をさらに強化するための溶接接続が考えられ、いくつかの領域、特にプロファイルの継ぎ目領域で可能である。
【００５６】
天井プロファイル３は、実質的に二重Ｔ字断面形状を有する。このことに関連して、中空の厚くなったヘッド部分１０と中空の厚くなったフット部分１１とが形成されている。これらの間に、天井プロファイル３の横材１２が延在し、横材１２は、フレーム１に組み立てられると垂直方向に配向される。
【００５７】
図３では、天井プロファイル３の横に、または天井プロファイル３に接して、図２による基本フレームワークの、モジュールを完成させるための、および天井領域を充填するための部屋の天井を形成するための乾式構造要素が示されている。乾燥構造プロファイル６、特に図２にも数回示されているような軽量鋼プロファイルのほぼＣ字形状の断面が表されている。プロファイル６の端面は、図３に示すものに対して垂直に配向されたプロファイル３のマウント１３に確実に嵌合する横材１２まで挿入されてもよい。マウント１３は、厚くなったヘッド部分１０、厚くなったフット部分１１、および天井プロファイル３の横材１２によって形成されている。マウント１３は、断面がほぼＵ字形状である。
【００５８】
図３では、例えばミネラルウールで作製された、絶縁層１４が、プロファイル６に描かれている。これに加えて、プロファイル６の両側には、例えばプラスタボードなどの建築ボード１５、１６が厚板張りされている。上部厚板１５は単層に形成されており、モジュールによって形成された空間で見える天井面を形成する下部厚板１６は、２層に形成されている。絶縁材１４、プロファイル６、厚板１５および１６、ならびに任意選択によるさらなる構成要素はまた、防音および／または防火を提供する。
【００５９】
図４は、図１に示すフレーム１のための、本発明による床プロファイル４の断面図である。
【００６０】
床プロファイル４は、シート材料、好ましくは金属シート、好ましくは鋼板から形成されている。プロファイルは、中空の断面を有する領域を有する。シート金属は、コーナ領域の弱点が回避されるように、コーナ半径で丸く曲げられるか、または角度が付けられている。これに加えて、プロファイルの安定性をさらに強化するための溶接接続が考えられ、適所、特にプロファイルの継ぎ目領域で可能である。
【００６１】
床プロファイル４は、実質的に二重Ｔ字断面形状を有する。プロファイルは、中空の厚くなったヘッド部分１７と中空の厚くなったフット部分１８とを有する。これらの間に、フレーム１に配置されたときに垂直に配向される天井プロファイル４の横材１９が延在する。
【００６２】
図３および図４は、天井プロファイル３および床プロファイル４が各々中空プロファイルとして形成されていることを示す。示された実施形態では、天井プロファイル３および床プロファイル４が各々、それぞれ２つの空洞３０、３１および３２、３３を有する。天井プロファイル３では、上部空洞３０は下部空洞３１よりも大きい。床プロファイル４では、上部空洞３２および下部空洞３３は実質的に同じサイズである。空洞３０、３１を形成するために、天井プロファイル３は、第１の中空プロファイルセクション３４および第２の中空プロファイルセクション３５を有する。床プロファイル４は、第１の中空プロファイルセクション３６および第２の中空プロファイルセクション３７を有する。横材１２は、第１の中空プロファイルセクション３４および第２の中空プロファイルセクション３５を接続する。横材１９は、第１の中空プロファイルセクション３６および第２の中空プロファイルセクション３７を接続する。示されるように、第１の中空プロファイルセクションおよび第２の中空プロファイルセクション３４〜３７は各々、丸いコーナを有するボックスプロファイルとして形成されていてもよい。図３および図４から明らかに分かるように、天井プロファイル３の第１の中空プロファイルセクション３４と床プロファイル４の第１の中空プロファイルセクション３６および第２の中空プロファイルセクション３７は相互に垂直に配置されたプロファイル側壁を有する。
【００６３】
図３および図４は、天井プロファイル３および床プロファイル４が各々、形成された金属シートを備え、横材１２または１９が、２つの並んだ相互に接触する、金属シートのセクションによって形成されていることをさらに示す。
【００６４】
図面は、第２の中空プロファイルセクション３５、３７が各々、形成された金属シートの閉鎖された連続領域によって形成されていることをさらに示す。対照的に、第１の中空プロファイルセクション３４および３６では、金属シートの端部は端から端まで配置されている。金属シートは、金属シートの端部の領域に、折り返された領域を有する。
【００６５】
図４では、床プロファイル４の横に、または床プロファイル４に接して、モジュールを完成させるための部屋の床を形成するための、かつ図２による基本フレームワークの床エリアを充填するための乾式構造要素が示されている。
【００６６】
乾式構造プロファイル８、特に図２にも数回示されているような軽量鋼プロファイルのほぼＣ字形状の断面が表されている。プロファイル８の端面は、図４に示されているものに対して垂直に配向されたプロファイル４のマウント２０に確実に嵌合する横材１９まで挿入されてもよい。マウント２０は、厚くなったヘッド部分１７、厚くなったフット部分１８、および床プロファイル４の横材１９によって形成されている。マウント２０は、断面がほぼＵ字形状である。
【００６７】
図４では、例えばミネラルウールで作製された、絶縁層１４が、プロファイル８に配置されている。これに加えて、プロファイル８は、例えばプラスタボードおよび／または木材ベースの建築ボードなどの、建築ボード２１、２２で両側が厚板張りされている。両方の厚板２１、２２は単層に形成されている。これに加えて、図４に示す実施形態では、床は３つのさらなる層２３、２４、２５を有し、この３つのさらなる層の最上層２５は、モジュールによって形成された部屋で見える床面を形成する。絶縁材１４、プロファイル８、厚板２１、２２、層２３、２４、２５、および任意選択によるさらなる構成要素は、防音および／または防火を提供することができる。
【００６８】
モジュラユニットの側壁は、例えば、図３による天井と同様に形成され、および厚板張りされてもよい。
【００６９】
図５は、図１によるフレーム１のためのコーナプロファイルとして形成された、本発明による支柱プロファイル２の断面図である。支柱プロファイル２は、シート材料、好ましくは金属シート、好ましくは鋼板から形成されている。曲げられた鋼板は、例えば溶接継ぎ目（図示せず）によって加工されて、示された閉じたプロファイル断面を形成することができる。断面では、中空のプロファイル領域が形成されている。シート金属は、コーナ領域の弱点が回避されるように、コーナ半径で、丸く曲げられているか、または角度が付けられている。これに加えて、プロファイルの安定性をさらに強化するための溶接接続が考えられ、いくつかの領域、特にプロファイルの継ぎ目領域で可能である。
【００７０】
断面の支柱プロファイル２は、実質的に正方形の外側輪郭を有する。支柱プロファイル２の２つの相互に垂直に配置された側面７０は、側面７０間の丸い縁を無視して、平面である。支柱プロファイル２の２つのさらなる相互に垂直に配置された側面７１には、安定性の理由で、断面がほぼダブテール形状を有する、スロットガイド２６が形成されている。図５に表すように、スロットガイド２６は、追加的に、接続要素５を導入および固定する役割を果たし、したがって接続要素５は相互に直交して配向され、コーナを形成する。
【００７１】
図６は、図５による支柱プロファイル２と共に使用するための接続要素５の斜視図である。接続要素５は、平板またはストラップとして形成されており、一端に、支柱プロファイル２のスロットガイド２６の底部のスロット（図示せず）に掛止され得るフック２７を有する。これに加えて、接続要素５は、接続要素５を天井プロファイル３または床プロファイル４の横材１２または１９に接続するための締結手段としてねじなどを通過させることができる複数の締結穴２８を有する。
【００７２】
接続要素５と共に、図面に示されているプロファイル２、３、４は、取り扱いが容易であり、かつ迅速、単純、正確、およびさらにはとりわけ安定な、基本フレームワークであって、負荷を支持することが可能であって互いに組み合わせてモジュラ構造のためのモジュールを形成する基本フレームワークの構築を可能にする、コンポーネントセットまたはモジュラツールキットシステムを形成する。
【００７３】
図７ａ〜図１１ｂは、モジュールコネクタ３８の異なる例示的な実施形態を示す。モジュールコネクタ３８は各々、第１の接続ピン３９および第２の接続ピン４０を有する。モジュールコネクタ３８は、第１の接続ピン３９および第２の接続ピン４０が装着された支持要素４１をさらに備える。支持要素４１は、板状であり、第１の板面４２と反対側の第２の板面４３とを有する。第１の接続ピン３９および第２の接続ピン４０は各々、円筒セクションを有する。
【００７４】
図７ａおよび図７ｂに示す実施形態では、第１の接続ピン３９は、第１のプレート面４２上に配置されており、第２の接続ピン４０は、第２のプレート面４３上に配置されている。第１の接続ピン３９および第２の接続ピン４０は、同軸に配置されている。第１の接続ピン３９および第２の接続ピン４０は、単一部品で形成されていてもよい。この目的で、モジュールコネクタ３８は、マンドレル４４を備え、マンドレル４４は、板状の支持要素４１の開口部を通って延在し、支持要素４１に溶接されている。マンドレル４４の第１のセクションは、第１の接続ピン３９を形成し、一方、マンドレル４４の第２のセクションは、第２の接続ピン４０を形成する。有利には、マンドレル４４が、支持要素４１に対して支えられる肩を有するように、第１の接続ピン３９の外径は、第２の接続ピン４０の外径よりも大きい。
【００７５】
図７ａおよび図７ｂに示す変形例は、互いに上下に配置された２つのモジュラユニットを接続するのに好適である。
【００７６】
図８ａ〜図１１ｂは、モジュールコネクタ３８の変形例を示す。各々の場合に支持要素４１と、少なくとも第１の接続ピン３９および第２の接続ピン４０と、を備える、モジュールコネクタ３８の基本構成は、同じである。したがって、図７ａおよび図７ｂの説明は、図８ａ〜図１１ｂに同様に当てはまる。構成の相違とその重要性について以下に簡単に説明する。
【００７７】
図８ａおよび図８ｂに示す実施形態では、第１の接続ピン３９および第２の接続ピン４０は、第１のプレート面４２上に並べて配置されている。第１の接続ピン３９および第２の接続ピン４０は、実質的に円筒形の基本形状を有し、相互に平行に配置されている。この構成は、第１のモジュラユニットおよび第２モジュラユニットが並べて配置された構造に好適である。第１の接続ピン３９および第２の接続ピン４０は各々、モジュールコネクタ３８の支持要素４１の穴に配置されている。支持要素４１を第１の接続ピン３９および第２の接続ピン４０に溶接することによって、安定な接続を達成することができる。
【００７８】
図９ａおよび図９ｂに示す実施形態では、第１の接続ピン３９および第２の接続ピン４０に加えて、２つのさらなる接続ピン４５が提供される。図７ａおよび図７ｂに示す実施形態におけるように、接続ピン３９、４０、および４５はマンドレル４４によって形成されている。図９ａおよび図９ｂに示す実施形態は、４つのモジュールユニットを接続するのに好適であり、２つのモジュラユニットが同じ平面に並べて配置されており、２つのさらなるモジュラユニットがさらなる平面において下部モジュラユニットの上に配置されている。
【００７９】
図１０ａおよび図１０ｂに示す実施形態は、図９ａおよび図９ｂの実施形態に対応するが、この場合、４つのマンドレル４４によって形成された合計８つの接続ピンが提供される。図１０ａおよび図１０ｂのモジュールコネクタ３８を使用して、並べて配置された４つのモジュラユニットと上方に配置された４つのモジュラユニットとを同時に接続することができる。
【００８０】
図１１ａおよび図１１ｂに示す実施形態は、図８ａおよび図８ｂの実施形態と同様である。第１のプレート面４２上に４つの接続ピンが提供され、並べて配置された４つのモジュラユニットの接続を可能にする。
【００８１】
図７ａ〜図１１ｂに表すように、第１の接続ピン３９、第２の接続ピン４０、および、該当する場合にさらなる接続ピン４５は、各々穴４６を有する。示された実施形態では、穴４６は、接続ピン３９、４０、または４５の長手方向軸に垂直に延在する。ロックピンまたはロックネジなどのロック手段を穴４６に挿入することができる。しかしながら、モジュラシステムはまた、ロックピンなしで使用されてもよい。モジュールコネクタ３８の記載された実施形態は、ロック手段がなくてもモジュラユニットの信頼性を有する接続を可能にする。特定のひずみの場合、接続ピン３９、４０、４５を支柱プロファイル２およびさらなる支柱プロファイル２のそれぞれのピン保持具に固定するために、接続手段が追加的に導入されてもよい（図１６も参照）。
【００８２】
図１２は、４つのモジュラユニット５０、５０’、５０’’、５０’’’の一部の概略断面図である。それらのうちの２つのモジュラユニット５０’’、５０’’’は上部平面に配置されている。これらは、例えば、建物の最初の階を形成してもよい。２つのさらなるモジュラユニット５０、５０’は、下部平面に配置され、例えば、建物の地上階を形成してもよい。図１２は、下階に配置されたモジュラユニット５０、５０’の上部セクションと、上階に配置されたモジュラユニット５０’’、５０’’’の下部セクションと、を示す。
【００８３】
この実施形態によれば、モジュラユニット５０、５０’、５０’’、５０’’’の各々は、コーナの各々において概略的に示された支柱プロファイル２を有する。並べて配置されたモジュラユニット５０および５０’、または５０’’および５０’’’の支柱プロファイル２は、互いに接触しないように配置されている。代わりに、支柱プロファイル２間に隙間（図１３も参照）が提供されている（図１３も参照）。支柱プロファイル２は、図２および図５に示すような構成を有する。
【００８４】
モジュラユニットの支柱プロファイル２は、図３に示す天井プロファイル３によって、支柱プロファイル２の上端において互いに接続される（図１３の概略図を参照）。各モジュラユニットの支柱プロファイル２は、支柱プロファイル２の下端において、図４に示す床プロファイル４によって互いに接続される。各場合において、天井プロファイル３と支柱プロファイル２との間の接続は、支柱プロファイル２のスロットガイド２６に配置された、図６に示す接続要素５を介して提供される。したがって、モジュラユニット５０、５０’、５０’’、５０’’’は各々、図２に示す種類に対応する基本フレームワークを有する。
【００８５】
図１２からさらに、モジュラユニット５０、５０’が各々、天井５１を有することが分かる。モジュラユニット５０’の例として示されるように、天井５１は、乾式構造プロファイル６として形成された支持要素を備える。示された実施形態は、Ｃプロファイルを呈している。乾式構造プロファイル６の両側に配置され、かつ締結手段（図示せず）を介して乾式構造プロファイル６に接続された建築ボード１５、１６を備える厚板が提供される。乾式構造プロファイル６は、第１の端部によって第１の天井プロファイル３に接続され、第２の端部によってさらなる天井プロファイル３に接続される（図２に示す基本フレームワークも参照）。建築ボード１５、１６間に絶縁材１４が配置される。天井５１は部屋側において二重に厚板張りされる。
【００８６】
２つの上部モジュールユニット５０’’および５０’’’の支柱プロファイル２は、下部モジュールユニット５０、５０’の支柱プロファイル２の真上に配置される。したがって、上部モジュールユニット５０’’、５０’’’の支柱プロファイル２は、下部モジュールユニット５０、５０’の支柱プロファイル２と位置整合する。
【００８７】
４つのモジュールユニット５０、５０’、５０’’、５０’’’は、同一に形成されても、異なって形成されてもよい。
【００８８】
図１２に示す実施形態によれば、４つの支柱プロファイル２は、図９ａおよび図９ｂにおけるように構成されたモジュールコネクタ３８を使用して相互接続される。モジュールコネクタ３８の２つの接続ピン４０、４５は、下部モジュールユニットの支柱プロファイル２の上端に提供されたピン保持具５５内に延在する。２つのさらなる接続ピン３９、４５が、上部支柱プロファイル２の下端に配置されたピン保持具５５内に延在する。モジュールコネクタ３８の接続ピン４０、４５のためのピン保持具５５は、図１３の平面図に示されている。
【００８９】
図１２は、遮音要素５２がモジュールコネクタ３８に接合されていることをさらに示す。一方、図１２は、遮音要素５２が、支持要素４１から下向きの接続ピン４０、４５のためのカバーを形成することを表す。この場合のカバーは、接続ピン４０、４５を収容するための円筒セクションを有する。これに加えて、遮音要素５２は、下部支柱プロファイル２の上端と板状支持要素４１との間に配置された板状セクション５３を有する。このようにして、互いの上方に配置された支柱プロファイル２間、および並べて配置された支柱プロファイル２間の、直接的な金属接触が防止される。モジュールコネクタ３８の第２のプレート面４３上の接続ピン４０は、第１のプレート面４２上の接続ピン３９よりも小さい径を有することを上述した（図７ａ〜図１１ｂを参照）。遮音要素３８の円筒セクションは、第２のプレート面４３上のより小さい径を有する接続ピン４０のためのカバーを形成する。この場合、接続ピン４０の領域の円筒セクションの外径は、より大きい接続ピン３９の外径に対応する。したがって、一致する寸法の結果として、カバーを備える第２のプレート面４３上の接続ピン４０は、第１のプレート面４２上の接続ピン３９と同じくらい小さい遊びを有してピン保持具５５に挿入され得る。したがって、第１のプレート面４２上および第２のプレート面４３上の両方の接続ピンに接続するために、均一なサイズのピン保持具５５と共に、支柱プロファイルを使用することができる。
【００９０】
モジュラユニット５０、５０’、５０’’、５０’’’は各々、垂直に配置された壁４７を有する。図１２は、２つの相互に隣接するモジュラユニット間の内壁構成を示す。この実施形態によれば、壁は、プラスタボードを有する二重厚板を備える。
【００９１】
図１２は、モジュラユニット５０’’および５０’’’の床４８の構成をさらに示す。モジュラユニット５０、５０’は、対応して形成された床を有してもよい。床４８は、Ｃ字形状の乾式構造プロファイル８の形態をなす支持要素を有する。床の厚板は、層２３、２４、２５を備える。示された実施形態では、層２４は、ボード形状の乾式スクリードで作製されている。層２５は、床材である。層２３は、足音遮音材であり、例えば、高度に圧縮されたロックウールであってもよい。乾式スクリード（層２４）は、石膏繊維ボードによって形成されていてもよい。示された実施形態では、建築ボード２１は層２３の下方に配置され、支持要素８に接して配置される。床４８は、支持要素８の下面上に配置された建築ボード２２をさらに有する。床４８はまた、ボード２１、２２間に配置された絶縁材１４を有する。
【００９２】
図１２のモジュラシステムのさらなる詳細を図１３に示す。上面図は、並べて配置されたモジュール５０、５０’の２つの支柱プロファイル２を示す。支柱プロファイル２は各々、モジュールコネクタ３８の下向き接続ピン４０、４５が挿入されるピン保持具５５を有する。
【００９３】
図１３はまた、２つのスロットガイド２６を有する支柱プロファイル２の断面構成を示す。天井プロファイルを支柱プロファイル２に接合するスロットガイド２６内の接続要素５の配置も、概略的な単純化された形態で見られ得る。床プロファイルと接続要素５との接合が、同じように達成される。
【００９４】
モジュールユニット５０、５０’を使用して製造された建築コンポーネントの外壁の構成が、図１３からさらに分かる。モジュラユニット５０、５０’はプレハブ方式で作製されてもよいが、図１３に示す外壁は、モジュラユニット５０、５０’がモジュールコネクタ３８を介して互いに接続された後に準備される。外壁のために、Ｃプロファイルとして形成された支持要素５６が提供される。支持要素５６は、両側に建築ボード５７で厚板張りされており、絶縁材５８が建築ボード５７間に配置されている。これに加えて、例えばミネラルウールから形成され得る、絶縁層５９が、外側の厚板５７上に配置されている。示された実施形態では、外部レンダリング６０が絶縁層５９の外面に取り付けられている。
【００９５】
図１４は、図３の長尺の天井プロファイルの斜視図である。この図は、横材１２を介して相互接続されている第１の中空プロファイルセクション３４および第２の中空プロファイルセクション３５を備えるプロファイルの建造物を再度示す。図１４は、穴６１が横材１２に提供されていることをさらに示す。穴は、それら穴が接続要素５の締結穴２８に対応するように配置され、ネジ接続を可能にする。
【００９６】
図１５は、第１の中空プロファイルセクション３６および第２の中空プロファイルセクション３７を接続する横材１９を有する床プロファイル４の斜視図である。横材１９は、天井プロファイル３の穴と同様に形成された穴６１を有する。したがって、また、図６に示す接続要素５を使用して、床プロファイル４を支柱プロファイル２に接続することができる。
【００９７】
図１６は、下方からの、支柱プロファイル２の平面図である。図１６ａは、図１６に示す支柱プロファイル２と床プロファイル４との接続の側面図である。この例は、接続要素５を介して床プロファイル４を支柱プロファイル２に接続することができる方法を示す。支柱プロファイル２と天井プロファイル３との間の接続は、対応する態様で形成されてもよい。ここで、接続要素５は、床プロファイル４の横材１９にねじ止めされる。接続要素５は、スロットガイド２６内に配置される。したがって、接続要素５は、フック２７として形成された接続手段を使用して、支柱プロファイルがスロットガイド２６の基部上に有する、対応するノッチに挿入される。
【００９８】
図１６は、一例として、１つのスロットガイド２６に配置された支柱プロファイル２へのただ１つの床プロファイル４の接続を示す。さらなる床プロファイルを、示された床プロファイル４に垂直に提供し、第２のスロットガイドに配置されたさらなる接続要素５を介して支柱プロファイル２に取り付けることができる。
【００９９】
図１６は、例として、モジュールコネクタ３８の、ピン保持具５５に収容された接続ピン４０をさらに例示する。基本的な機能を示すために、モジュールコネクタのさらなる要素は図から省略されている。ピン保持具５５は、互いに対してある角度をなして、特に垂直に配置された支柱プロファイルの２つの側面７０のセクションを備える。図１６に示すように、こうして形成された角度の内面は、接続ピン４０のためのピン保持具５５を形成する。ピン保持具５５は、追加的に、中空の支柱プロファイル２６内に突出する、接続要素５（特にフックの）のセクション７３を備える。このようにして、接続ピン４０が収容されるピン保持具５５は、互いに対して垂直に配置された接続要素５のフックと、支柱プロファイル２の２つの側面７０と、から形成されている。
【０１００】
図１６は、接続ピン４０の穴４６に挿入された締結手段７２を使用して接続ピン４０を固定することができることをさらに示す。
【０１０１】
図１７は、各々支柱プロファイル２を有する、並べて配置された２つのモジュールユニット５０、５０’の斜視図である。モジュールユニット５０、５０’は各々、天井プロファイル３を有する。これらは、上述のように接続要素５を介してモジュールユニット５０および５０’の支柱プロファイル２に接続されている。さらに、モジュール内のモジュールコネクタ３８の構成が図１７に示されている。モジュールコネクタ３８は、図９ａおよび図９ｂに示すように形成されている。図１７では、２つの上向きの接続ピン３９、４５も分かり、この接続ピンを介して、上方に配置された２つのさらなるモジュールユニット（図示せず）を互いに接続し、２つのモジュールユニット５０、５０’に接続することができる。モジュールコネクタ３８の支持要素４１から下向きの接続ピン４０、４５は、２つの支柱プロファイル２の対応するピン保持具５５に収容される。
【０１０２】
さらに、図１７から、モジュールコネクタ３８が、支持要素４１の下方に配置された遮音要素５２を有することが分かる。
【図１】
2020531715.tif 000003
【図２】
2020531715.tif 000004
【図３】
2020531715.tif 000005
【図４】
2020531715.tif 000006
【図５】
2020531715.tif 000007
【図６】
2020531715.tif 000008
【図７ａ】
2020531715.tif 000009
【図７ｂ】
2020531715.tif 000010
【図８ａ】
2020531715.tif 000011
【図８ｂ】
2020531715.tif 000012
【図９ａ】
2020531715.tif 000013
【図９ｂ】
2020531715.tif 000014
【図１０ａ】
2020531715.tif 000015
【図１０ｂ】
2020531715.tif 000016
【図１１ａ】
2020531715.tif 000017
【図１１ｂ】
2020531715.tif 000018
【図１２】
2020531715.tif 000019
【図１３】
2020531715.tif 000020
【図１４】
2020531715.tif 000021
【図１５】
2020531715.tif 000022
【図１６】
2020531715.tif 000023
【図１６ａ】
2020531715.tif 000024
【図１７】
2020531715.tif 000025
【国際調査報告】
2020531715.tif 000026
2020531715.tif 000027
2020531715.tif 000028